【誤訳訂正書】
【提出日】平成21年4月10日(2009.4.10)
【誤訳訂正１】
【訂正対象書類名】特許請求の範囲
【訂正対象項目名】全文
【訂正方法】変更
【訂正の内容】
【特許請求の範囲】
【請求項１】
長手方向に延長したフット・キールと；
前記フット・キールに連結した結合要素と；
足首関節の上方の、前方に凸状に湾曲した、弾性の直立カーフ・シャンクとを備えた義足であって、
前記義足の足首関節範囲を形成するために、前記カーフ・シャンクが結合要素に連結された下端と、切断手術を受けた人の脚上で支持構造に連結するための上方端とを有し、
前記結合要素が、前記フット・キールとカーフ・シャンクとの間に弾性材料からなるジョイント部を形成し、該ジョイント部が傾斜軸（Ｇ−Ｇ）を有し、前記傾斜軸が、矢状面上に投影された場合に、前記傾斜軸の前方が後方よりも、水平面に対して近位になるようにそれていることを特徴とする義足。
【請求項２】
前記矢状面上に投影された前記傾斜軸が、水平面に対して２５°〜４５°の範囲の角度を形成する請求項１記載の義足。
【請求項３】
矢状面に投影された前記傾斜軸が水平面に対して形成する傾斜の角度を変更する手段を有する請求項２記載の義足。
【請求項４】
前記傾斜軸が、さらに、前記矢状面における前記義足の傾斜軸まわりの動作を許容するように方位付けされている請求項１記載の義足。
【請求項５】
前記傾斜軸が足底側の後方外側から、足上面の前方内側へと走行している請求項１記載の義足。
【請求項６】
水平面に投影された前記傾斜軸が、該義足の長軸に対して１６°〜２３°の範囲の角度で外方に向かって回転していることを特徴とする請求項１記載の義足。
【請求項７】
前記義足が傾斜軸周囲で行う動作の力を伝播および吸収するために、前記傾斜軸に沿った前記結合要素の内側側面および外側側面が凹状に湾曲している請求項１記載の義足。
【請求項８】
前記義足を人間の足のように機能させるために、前記ジョイント部が距骨下関節を模倣する請求項１記載の義足。
【請求項９】
前記義足の機能を調整するべく、前記義足の長手方向においてカーフ・シャンクおよびフット・キールのアラインメントの相互に対する調整を許容するために、調整可能な締付装置をさらに備えている請求項１記載の義足。
【請求項１０】
前記調整可能な締付装置が、前記結合要素をフット・キールと連結する少なくとも一つの解放可能ファスナと、該フット・キールに設けられた長手方向延長開口部とを備えており、前記フット・キールとカーフ・シャンクのアラインメントの調整を許容するべく、前記ファスナが前記開口部を通って伸びている請求項９記載の義足。
【請求項１１】
前記カーフ・シャンクの上方端が、まっすぐに垂直に延びる上端である請求項１記載の義足。
【請求項１２】
前記カーフ・シャンクの凸状に湾曲した下方端が、該カーフ・シャンクがその湾曲した下方端から上方へと延長するに従って増大する湾曲の半径を有する請求項１記載の義足。
【請求項１３】
前記カーフ・シャンクの下方端が概してパラボラ形状をなし、該パラボラ形状が、下方端に位置し、そこから上方、および主に前方へと延長している最小の湾曲半径を有する請求項１記載の義足。
【請求項１４】
前記カーフ・シャンクの後方に向いた凹部が前記カーフ・シャンクの湾曲によって形成されており、前記後方にむいた凹部が、複数の長手方向に延びる溝とばりとが形成された表面を有し、前記義足の使用中に前記カーフ・シャンク上に働く力に反応して、該カーフ・シャンクの拡張を阻止すると同時にその弾性圧縮を促進することを特徴とする請求項１３記載の義足。
【請求項１５】
前記結合要素が前記フット・キールおよびカーフ・シャンクの少なくとも一つと一体形成されている請求項１記載の義足。
【請求項１６】
前記カーフ・シャンクの下方端を該フット・キールに連結するために、前記結合要素が、該フット・キールおよびカーフ・シャンクの各々に接合されている請求項１記載の義足。
【請求項１７】
長手方向に延長したフット・キールと；
前記フット・キールに連結した結合要素と；
前方に凸状に湾曲した、弾性の直立カーフ・シャンクとを備えた義足であって、
前記カーフ・シャンクが、結合要素に固定された下端を有し、前記カーフ・シャンクとフット・キールが各々の、対向した凸状湾曲面を備えており、前記凸状湾曲面の半径および関係が歩行中の義足の動応答性能および動作結果に影響を与え；
前記結合要素により前記カーフ・シャンクをフット・キールに固定する調整可能な締付装置をさらに備え、また、機能を調整するために、前記締付装置が、該フット・キールとカーフ・シャンクの凸状湾曲面の各々の関係の調整を許容し、
前記結合要素が、前記フット・キールとカーフ・シャンクとの間に弾性材料からなるジョイント部を形成し、該ジョイント部が傾斜軸（Ｇ−Ｇ）を有し、前記傾斜軸が、矢状面上に投影された場合に、前記傾斜軸の前方が後方よりも、水平面に対して近位になるようにそれており、
前記弾性部材の傾斜軸により、フットキールの前頭面動作と、カーフシャンクの水平面動作が向上することを特徴とする義足。
【請求項１８】
矢状面上に投影された前記傾斜軸が、水平面に対して２５°〜４２°の範囲内の角度を形成する請求項１７記載の義足。
【請求項１９】
矢状面上に投影された前記傾斜軸が水平面に対して形成する傾斜の角度を変更する手段を有する請求項１７記載の義足。
【請求項２０】
前記傾斜軸が、さらに、前記矢状面において、該傾斜軸まわりの前記義足の動作を許容するように方位付けされている請求項１７記載の義足。
【請求項２１】
前記傾斜軸が、足底側の後方外側から、足上面の前方内側へと走行している請求項１７記載の義足。
【請求項２２】
水平面上に投影された前記傾斜軸が、前記義足の長軸に対して１６°〜２３°の範囲内の角度で偏心的に回転していることを特徴とする請求項１７記載の義足。
【請求項２３】
前記傾斜軸に沿った前記結合要素の内側側面および外側側面が、前記義足の該傾斜軸周囲での動作における力を伝播および吸収するために、凹状に湾曲している請求項１７記載の義足。
【請求項２４】
前記義足を人間の足のように機能させるために、前記ジョイント部が距骨下関節を模倣する請求項１７記載の義足。
【請求項２５】
前記各々の凸状湾曲面が、前記フット・キールの中足部の背面と、前記カーフ・シャンクの下方および前方に向いた面とを備えている請求項１７記載の義足。
【請求項２６】
前記調整可能な締付装置が少なくとも一つの解放可能ファスナと、該フット・キールに設けられた長手方向に延長した開口部とを備え、前記カーフ・シャンクとフット・キールの該フット・キールの長手方向におけるアラインメントを調整できるようにするべく、前記ファスナが前記開口部を通って伸びている請求項１７記載の義足。
【請求項２７】
前記カーフ・シャンクの下方端が概してパラボラ形状をなし、該パラボラ形状の最小の湾曲半径が下方端に位置し、そこから上方へ、また主に前方へと伸びている請求項１７記載の義足。
【誤訳訂正２】
【訂正対象書類名】明細書
【訂正対象項目名】００４８
【訂正方法】変更
【訂正の内容】
【００４８】
動作方位軸は矢状面において水平面に対して逸脱し（図２８中の傾斜軸Ｇ−Ｇは角度Δで逸脱している）、また、水平面上に突出している部分は足の長軸上で逸脱していることが好ましい（図３３中の長軸Ｇ−Ｇは角度Δ’で逸脱している）。この方位付けを行った結果、この結合要素の構造が、調整され、且つ人間のものに近い方法で大地反力に反応する。方向付けの傾斜軸により、発生した動作の留め継ぎされた４５°角度の蝶番効果を生じる。つまり、歩行の構え段階中に生じるカーフ・シャンクの水平面動作（１９°）が義足の反転動作および反り返り動作に伝播される。高性能の義足内部には、軸Ｇ−Ｇの２５°〜４２°の角度で傾斜した方位軸が設けられている。傾斜した方位軸により、前頭面動作結果と水平面動作結果の両方が向上することがわかっている。軸Ｇ−Ｇの２５°の角度で傾斜した方位軸によって、水平面動作結果よりも前頭面動作結果が向上する。軸Ｇ−Ｇの４２°で傾斜した方位軸によって、前頭面動作よりも水平面動作が向上する。足の結合要素の傾斜軸Ｇ−Ｇは矢状面において逸脱しているため、後方部よりも前方部が体幹に近位である。図２８を参照のこと。